【手続補正書】
【提出日】平成20年11月18日(2008.11.18)
【手続補正１】
【補正対象書類名】特許請求の範囲
【補正対象項目名】請求項１２
【補正方法】変更
【補正の内容】
【請求項１２】
切欠部が温水パネルの隅部または縁部に存在しており、この切欠部が請求項１ないし１１のうちのいずれか一項に記載の床暖房用温水パネル切欠部補完部材で補完されている床暖房用温水パネル。
【手続補正２】
【補正対象書類名】明細書
【補正対象項目名】０００２
【補正方法】変更
【補正の内容】
【０００２】
床暖房用温水パネルを複数枚並べて所望の大きさにする場合、温水パネルの温水パイプを繋ぎ合わせる側の隅に切欠部が設けられ、この切欠部に露出する温水パイプと、隣り合う温水パイプどうしを接続する管継手とを被覆するため、切欠部に対応する大きさで垂下状周壁を備えた基板と、この基板の下面に設けられかつ周壁のうち交わる２つの側壁の嵌め込み口どうしを繋ぐとともに、それぞれ管継手の一部を含む往湯用温水パイプ収容部および復湯用温水パイプ収容部を形成する４本の屈曲状収容リブとを備えた床暖房用温水パネルの切欠部補完部材が、下記特許文献１に開示されている。
【特許文献１】実用新案登録第３０７７７３３号公報
【手続補正３】
【補正対象書類名】明細書
【補正対象項目名】０００４
【補正方法】変更
【補正の内容】
【０００４】
そして、室温２０゜Ｃの環境温度の中で床暖房が定常状態になったとき、温水パネルの上に設けられた床仕上げ材層の表面温度が２７〜３４゜Ｃの範囲内で、（イ）暖房床面全体の平均温度が３０゜Ｃ以上であること、（ロ）局所的な範囲である３０ｃｍ角内において、（ロ−１）最低温度が２７゜Ｃ以上、（ロ−２）平均温度と最低温度との差が３．５゜Ｃ以下および（ロ−３）最高温度と最低温度との差が７゜Ｃ以下であることならびに（ハ）暖房床面全体としても最高温度と最低温度との差が７゜Ｃ以下であることが、違和感のない暖房床であると評価されている。しかしながら、上記（イ）〜（ハ）の条件すべてを満足させることは難しく、少なくとも上記（イ）および（ロ−１）の条件を満たせばよいとされており、好ましくは、さらに（ロ−２）の条件を満たせばよいとされている。
【手続補正４】
【補正対象書類名】明細書
【補正対象項目名】００３０
【補正方法】変更
【補正の内容】
【００３０】
本発明の床暖房用温水パネルの切欠部補完部材によれば、基板の片面に温水パイプまたは温水パイプおよびこれの付帯物の収容部が形成せられる配置形態に、切欠部補完部材の厚さを確保できる高さの収容部形成突起が所要数間隔をおいて設けられ、収容部形成突起相互の間隙を介して収容部と連通する空間が基板の残り片面ほぼ全域に設けられているので、収容部と前記空間との間に収容部で温水パイプを流れる温水により加温された空気の対流が生じるので、温水パイプのある上方部分だけではなく、加温された空気の流入する前記空間のある上方部分にも熱が伝達される。その結果、床暖房用温水パネル切欠部補完部材全体としての温度むらが少なくなり、かつ平均温度も上昇するので、床暖房用温水パネルの通湯温度が４０〜５０゜Ｃであっても違和感のない暖房床が得られる。
【手続補正５】
【補正対象書類名】明細書
【補正対象項目名】００３２
【補正方法】変更
【補正の内容】
【００３２】
図１は、床下地（Ｇ）（図４参照）に４枚の床暖房用温水パネル（１）（２）（３）（４）が左右の前後に２枚ずつ並べて配設せられるとともに、これらを囲んでダミーパネル（５）が配設せられ、４枚の温水パネル（１）（２）（３）（４）の相互の突き合わされた全体中央の各隅部に、前後隣接温水パネルの温水パイプ相互の接続用切欠部（６）（７）（８）（９）が設けられ、前側左右の温水パネル（１）（３）の相互の突き合わされた前縁各隅部に、温水パイプに対する給湯器側パィプの接続用切欠部（１０）（１１）が設けられている状態を示す。４枚の温水パネル（１）（２）（３）（４）には、往程ポリエチレン製温水パイプ（１２）が蛇行状に埋設せられ、これの外側を復程ポリエチレン製温水パイプ（１３）が蛇行状に埋設せられている。前側左右の温水パネル（１）（３）の両温水パイプ（１２）（１３）の両端は、切欠部（１０）（１１）（６）（８）に露出している。後側左右の温水パネル（２）（４）の両温水パイプ（１２）（１３）の前端は、切欠部（７）（９）に露出し、両温水パイプ（１２）（１３）の後端は、折れ曲がって相互に一連に繋がっている。図２は、並べられた４枚の温水パネル（１）（２）（３）（４）全体の中央左側にある２つの切欠部（６）（７）部分の拡大詳細を示す。同図から明らかなように、切欠部（６）（７）に露出している前温水パネル（１）の両温水パイプ（１２）（１３）の後端と、後温水パネル（２）の両温水パイプ（１２）（１３）の前端が、両端に抜け止め付き差込部（１４ａ）を有する管継手（１４）で接続せられ、パイプバンド（１５）で締め止められている。中央右側にある２つの切欠部（８）（９）についても同様である。  図３および図４は、図１の並べられた４枚の温水パネルのうち、前左側温水パネル（１）の前右隅部の切欠部（１０）部分の拡大詳細を示す。同図から明らかなように、切欠部（１０）に露出している前温水パネル（１）の両温水パイプ（１２）（１３）の前端には、床下地（Ｇ）にあけられた垂直貫通孔（１６）に嵌め込まれている逆Ｌ形管継手（１７）の水平抜け止め付き差込部（１７ａ）が差し込まれ、パイプバンド（１５）で締め止められている。逆Ｌ形管継手（１７）の垂直部には、給湯器側パイプ（図示略）が接続せられている。前右側温水パネル（３）の前左隅部の切欠部（１１）についても同様である。床下地（Ｇ）は、図４に示されているように、根太受け部材（図示略）上に根太（１８）が組まれ、根太（１８）間にポリスチレンフォーム（１９）が配され、その上に合板（２０）が敷設せられて根太（１８）に止めねじで固定せられたものである。
【手続補正６】
【補正対象書類名】明細書
【補正対象項目名】００３５
【補正方法】変更
【補正の内容】
【００３５】
図６に示すように、切欠部補完部材（２８）のＡＢＳ樹脂製方形基板（２９）の下面には、温水パイプ（１２）（１３）およびこれの付帯物の収容部（３０）（３１）が形成せられる配置形態に、切欠部補完部材（２８）の厚さを確保できる高さの収容部形成突起（３２）（３３）（符号３３は図では使用しないが、下記３３Ａ〜Ｄの上位概念を示すものとしてここでは使用する）（３４）（符号３４は図では使用しないが、下記３４Ａ〜Ｃの上位概念を示すものとしてここでは使用する）が、所要数間隔をおいて設けられ、収容部形成突起（３２）（３３）（３４）相互の間隙（３５）（３６）（３７）を介して収容部（３０）（３１）と連通する空間（３８）が基板（２９）の残りの下面ほぼ全域に設けられている。往湯温水パイプ収容部（３０）と復湯温水パイプ収容部（３１）の境界にある５つの収容部形成突起（３２）は、いずれも底面からみて（収容部形成突起すべての形状について、以下同様）矩形突起（ほぼ矩形状を含む）であり、真中の円弧部に１つ、基板（２９）の下面後縁と平行な直線部で真中の円弧部寄りに１つ、同直線部の端に１つ、同左縁と平行な直線部で真中の円弧部寄りに１つ、同直線部の端に１つそれぞれ配されている。往湯温水パイプ収容部（３０）の屈曲外側にある５つの収容部形成突起（３３）は、基板（２９）の下面後縁にある縁突起を兼ねた１つの帯状突起（３３Ａ）、収容部（３０）の屈曲外側円弧を形成する位置にある円形突起（３３Ｂ）、同外側円弧を形成する位置とこれに続いて直線部を形成する位置にありかつ帯状突起（３３Ａ）と平行な３つの矩形突起（３３Ｃ）および基板（２９）の下面前縁にある縁突起の左側一部を兼ねかつ前記矩形突起（３３Ｃ）より若干短い矩形突起（３３Ｄ）をいう。前記３つの矩形突起（３３Ｃ）および縁突起の左側一部を兼ねた矩形突起（３３Ｄ）は、基板（２９）の下面左縁にありかつこれらと同じ高さの縁突起（３９）に一体的に接続されている。復湯温水パイプ収容部（３１）の屈曲内側にある４つの収容部形成突起（３４）は、基板（２９）の下面後縁と平行な収容部（３１）の屈曲内側直線部を形成する位置にある矩形突起（３４Ａ）、収容部（３１）の屈曲内側円弧を形成する位置にある円形突起（３４Ｂ）、続いて基板（２９）の下面左縁と平行な収容部（３１）の屈曲内側直線部を形成する位置にある円形状突起（３４Ｂ）および基板（２９）の下面前縁にある縁突起の右側一部を兼ねかつ前記矩形突起（３４Ａ）より短い矩形突起（３４Ｃ）をいう。縁突起の左側一部を兼ねた矩形突起（３３Ｄ）と両収容部（３０）（３１）の境界の前端に先端がある端部矩形突起（３２）との間が、縁突起に設けられた往湯温水パイプ収容部（３０）の前端となる開口部（３０ａ）となっており、縁突起の右側一部を兼ねた矩形突起（３４Ｃ）と両収容部（３０）（３１）の境界の前端に先端がある端部矩形突起（３２）との間が、縁突起に設けられた復湯温水パイプ収容部（３１）の前端の開口部（３１ａ）となっている。縁突起を兼ねた帯状突起（３３Ａ）と両収容部（３０）（３１）の境界の右端に先端がある端部矩形突起（３２）との間が、往湯温水パイプ収容部（３０）の右端の開口部（３０ｂ）となっており、端部矩形突起（３２）とその前側の矩形突起（３４Ａ）との間が、復湯温水パイプ収容部（３１）の右端の開口部（３１ｂ）となっている。両収容部（３０）（３１）と連通する空間（３８）に突出しかつ収容部形成突起（３２）（３３）（３４）と同じ高さの補強突起（４０）（符号４０は図では使用しないが、下記４０ＡおよびＢの上位概念を示すものとしてここでは使用する）が３つ基板（２９）に設けられている。補強突起（４０）の１つは、基板（２９）の下面後縁と平行な収容部（３１）の屈曲内側直線部を形成する位置にある矩形突起（３４Ａ）と基板（２９）の下面前縁にある縁突起の左側一部を兼ねる矩形突起（３４Ｃ）との間に位置する前記矩形突起（３４Ｃ）と同じ長さの矩形突起（４０Ａ）であり、残りの２つは、前記矩形突起（３４Ａ）と前記矩形突起（４０Ａ）との間および前記矩形突起（４０Ａ）と前記矩形突起（３４Ｃ）との間にそれぞれ位置する円形突起（４０Ｂ）である。基板（２９）の上面には、図７に示されているように、均熱層となるアルミニウム層（４１）が設けられている。図６に示されているように、切欠部補完部材（２８）全体の所要位置に、上面から下面に達しかつ突起をその軸方向に貫通する床下地（Ｇ）への固定用止めねじ挿通孔（４２）があけられている。両収容部（３０）（３１）と連通する空間（３８）がある基板（２９）部分の下面には、均熱層となるアルミニウム層（４３）が設けられている。基板（２９）の上下面のアルミニウム層（４１）（４３）はなくてもよいが、あるほうが望ましい。下面のアルミニウム層（４３）は、必ずしも両収容部（３０）（３１）と連通する空間（３８）がある基板（２９）部分の全てにある必要はなく、復湯温水パイプ収容部（３１）と、基板（２９）の下面前縁および右縁とで囲まれる空間に少なくともあればよい。なお、突起を含む基板（２９）の厚さが温水パネル（２）の厚さに満たない場合は、図７に鎖線で示すように、その不足分の厚さを有する厚さ調整板（４４）が突起を介して基板（２９）と対向状に配置せられる。なお、図示しないが、この調整板（４４）には、両収容部（３０）（３１）と連通する空間（３８）に突出しかつ収容部形成突起（３２）（３３）（３４）と同じ高さの補強突起が設けられてもよい。
【手続補正７】
【補正対象書類名】明細書
【補正対象項目名】００３７
【補正方法】変更
【補正の内容】
【００３７】
図８および図９は、床暖房用温水パネル（２）の切欠部（７）に露出する両温水パイプ（１２）（１３）およびこれの付帯物である管継手（１４）を被覆しかつ切欠部（７）を補う第２実施形態の切欠部補完部材（４５）を示す。この第２実施形態の切欠部補完部材（４５）は、第１実施形態の切欠部補完部材（２８）の上下面のアルミニウム層（４１）（４３）を除いた基板（２９）を逆様にして全ての突起を上向けにし、その上にアルミニウム層（４６）を上面に有する天板（４７）を被せたものである。したがって、第２実施形態の切欠部補完部材（４５）において、第１実施形態の切欠部補完部材（２８）に対応する部分は、図中に同一符号を付し、説明を省略する。天板（４７）の下面には、両収容部（３０）（３１）と連通する全空間（３８）に突出しかつ収容部形成突起（３２）（３３）（３４）と同じ高さの補強突起（４８）が設けられている。なお、第１実施形態の切欠部補完部材（２８）において、厚さ調整板（４４）に補強突起が設けられる場合は、上記下向きの補強突起（４８）を上向きにした態様になる。
【手続補正８】
【補正対象書類名】明細書
【補正対象項目名】００３８
【補正方法】変更
【補正の内容】
【００３８】
図１０および図１１は、床暖房用温水パネル（２）の切欠部（７）に露出する両温水パイプ（１２）（１３）およびこれの付帯物である管継手（１４）を被覆しかつ切欠部（７）を補う第３実施形態の切欠部補完部材（４９）を示す。図１０および図１１の説明において、前とは図１０の下を、後とは同図の上を、左とは同図の左を、右とは同図の右をそれぞれいうものとする。
【手続補正９】
【補正対象書類名】明細書
【補正対象項目名】００３９
【補正方法】変更
【補正の内容】
【００３９】
図１０は、第１実施形態の底面を示す図６に対応するものであり、以下、第１実施形態と異なる点だけを説明する。したがって、第３実施形態の切欠部補完部材（４９）において、第１実施形態の切欠部補完部材（２８）に対応する部分は、図中に同一符号を付し、説明を省略する。第１実施形態の収容部形成突起（３２）（３３）（３４）が中実であるのに対し、第３実施形態の切収容部形成突起（５０）（５１）（符号５１は図示しないが、下記５１Ａ〜Ｃの上位概念を示すものとしてここでは使用する）（５２）（符号５２は図示しないが、下記５２Ａ〜Ｄの上位概念を示すものとしてここでは使用する）は全て中空状である。往湯温水パイプ収容部（３０）と復湯温水パイプ収容部（３１）の境界にある５つの収容部形成突起（５０）は、第１実施形態のものと若干形状が異なるものの実質的には異ならない。往湯温水パイプ収容部（３０）の屈曲外側にある５つの収容部形成突起（５１）のうち、基板（２９）の下面後縁にある縁突起を兼ねた１つの帯状突起（５１Ａ）は、その前側で開口部（３０ａ）寄り側略半分が浅く窪まされている。収容部（３０）の屈曲外側円弧を形成する位置には、三角突起（５１Ｂ）がある。これに続いて同外側円弧を形成する位置とこれに続いて直線部を形成する位置にありかつ帯状突起（５１Ａ）と平行な３つの矩形突起（５１Ｃ）のうち、三角突起（５１Ｂ）の１つ前にあるものの先端には、前向き鉤部が形成せられている。復湯温水パイプ収容部（３１）の屈曲内側にある４つの収容部形成突起（５２）のうち、後縁と平行な収容部（３１）の屈曲内側直線部を形成する位置にある矩形突起（５２Ａ）の先端は、収容部（３１）の屈曲内側円弧端部を形成するように、緩やかな円弧状となっている。収容部（３１）の屈曲内側円弧中央を形成する位置にあるのは、斜めになった矩形突起（５２Ｂ）である。続いて左縁と平行な収容部（３１）の屈曲内側直線部を形成する位置にある矩形突起（５２Ｃ）の先端は、矩形突起（５１Ｃ）の先端とともにハ字状をなすように若干斜めになっている。基板（２９）の下面前縁にある縁突起の右側一部を兼ねる矩形突起（５２Ｄ）の先端は、後ろ向きに直角に折り曲げられている。なお、第１実施形態の円形突起（３４Ｂ）に相当するものは存在しない。そして、基板（２９）の下面右縁には、第１実施形態にはない縁突起（５３）があり、この縁突起（５３）に矩形突起（５２Ａ）（５２Ｃ）（５２Ｄ）が一体的に接続せられている。したがって、第３実施形態では、基板（２９）の下面全周縁に縁突起があることになる。中空状縁突起の中空部内に１または複数の横断状補強桟（５４）が設けられている。基板（２９）の下面後縁にある縁突起を兼ねた中空帯状突起（５１Ａ）に２つ、同左縁にある中空縁突起（３９）に４つ、同前縁にある縁突起の右側一部を兼ねる中空矩形突起（５２Ｄ）に１つ、同右縁にある中空縁突起（５３）に１つ、右縁と平行な収容部（３１）の屈曲内側直線部を形成する位置にある中空矩形突起（５２Ｃ）に１つ各々その中空部内に横断状補強桟（５４）が設けられている。第１実施形態と同じ位置にある基板（２９）にあけられた止めねじ挿通孔（５７）と一致しかつ収容部形成突起（５０）（５１）（５２）と同じ高さの短筒部（５５）が中空突起内に設けられている。後縁から１番目の矩形突起（５２Ａ）と後縁から２番目の矩形突起（５２Ｃ）との間および同２番目の矩形突起（５２Ｃ）と縁突起の右側一部を兼ねる矩形突起（５２Ｄ）との間に補強円形突起（５６）が各々１つ設けられている。第３実施形態では、第１実施形態の基板（２９）下面のアルミニウム層（４３）が存在しないが、あってもよい。
【手続補正１０】
【補正対象書類名】明細書
【補正対象項目名】００４０
【補正方法】変更
【補正の内容】
【００４０】
以上の３つの実施形態の切欠部補完部材（２８）（４５）（４９）は、いずれも左後の床暖房用温水パネル（２）の前側切欠部（７）用のものであるが、これらは左前の温水パネル（１）の前側切欠部（１０）にはそのまま使えるし、右前の温水パネル（３）の後側切欠部（８）にはその向きを変えて使用することができる。左前の温水パネル（１）の後側切欠部（６）、右後の温水パネル（４）の前側切欠部（９）、右前の温水パネル（３）の前側切欠部（１１）の場合は、３つの実施形態の切欠部補完部材（２８）（４５）（４９）において、単に収容部形成突起の配置形態を温水パイプ（１２）（１３）の向きに対応し得るように変えるだけでよい。
【手続補正１１】
【補正対象書類名】明細書
【補正対象項目名】００４７
【補正方法】変更
【補正の内容】
【００４７】
各切欠部が第１実施形態の切欠部補完部材(２８)で補完せられた４枚の床暖房用温水パネル（１）（２）（３）（４）およびこれらを囲むダミーパネル（５）の上面に、ポリオレフィン系樹脂、ゴム系樹脂および無機物粉末の混合物からなる比重１．７、厚さ２．３ｍｍの高比重シートの上下両面に密度０．９ｇ／ｃｍ３、厚さ０．７ｍｍの木質繊維板が接合せられさらに表面に塗装の施された木質単板が接合せられてなる、全体厚さが３．６ｍｍの床仕上げ材層が設けられている。
【手続補正１２】
【補正対象書類名】明細書
【補正対象項目名】００４８
【補正方法】変更
【補正の内容】
【００４８】
〔従来例〕
図１２は、従来の切欠部補完部材（１００）を示すものであり、第２実施形態の切欠部補完部材（４５）の図６に対応する底面図である。従来の切欠部補完部材（１００）では、往湯温水パイプ収容部（１０１）と復湯温水パイプ収容部（１０２）の境界にある境界壁（１０３）および往湯温水パイプ収容部（１０１）と復湯温水パイプ収容部（１０２）の各外壁（１０４）（１０５）が、両収容部（３０）（３１）の一端の開口部（３０ａ）（３１ａ）から他端開口部（３０ｂ）（３１ｂ）まで一連に続いており、両パイプ収容部（１０１）（１０２）内が基板下面の他の空間と遮断されている。その他は従来の切欠部補完部材（１００）を実施例の切欠部補完部材と同一にするとともに、４枚の床暖房用温水パネル、床下地、ダミーパネルおよび床仕上げ材も実施例と同一にし、つぎの比較試験を行った。
【手続補正１３】
【補正対象書類名】明細書
【補正対象項目名】００５３
【補正方法】変更
【補正の内容】
【００５３】
冒頭に述べたように、室温２０゜Ｃの環境温度の中で床暖房が定常状態になったとき、温水パネルの上に設けられた床仕上げ材層の表面温度が２７〜３４゜Ｃの範囲内で、（イ）暖房床面全体の平均温度が３０゜Ｃ以上であること、（ロ）局所的な範囲である３０ｃｍ角内において、（ロ−１）最低温度が２７゜Ｃ以上、（ロ−２）平均温度と最低温度との差が３．５゜Ｃ以下および（ロ−３）最高温度と最低温度との差が７゜Ｃ以下であることならびに（ハ）暖房床面全体としても最高温度と最低温度との差が７゜Ｃ以下であることが、違和感のない暖房床であると評価されているが、少なくとも上記（イ）および（ロ−１）の条件を満たせばよいとされている。そこで、実施例と従来例の測定結果を上記（イ）（ロ−１）、（ロ−２）および（ロ−３）の上記評価基準に照らすと、表１のとおりとなる。
【手続補正１４】
【補正対象書類名】明細書
【補正対象項目名】００５６
【補正方法】変更
【補正の内容】
【００５６】
（１）（２）（３）（４）床暖房用温水パネル
（５）ダミーパネル
（６）（７）（８）（９）（１０）（１１）切欠部
（１２）（１３）  温水パイプ
（１４）（１７）管継手（温水パイプおよびこれの付帯物）
（２１）パネル基材
（２２）温水パイプ嵌入溝
（２３）ポリスチレン層（合成樹脂層）
（２４）アルミニウム層（金属層）
（２５）被覆シート
（２６）面取り部
（２７）金属製パイプ受け部材
（２７ａ）金属製パイプ受け部材の逆ハ字状折り曲げ部
（２８）（４５）（４９）切欠部補完部材
（２９）基板
（３０）（３１）収容部
（３２）（３３）（３４）（５０）（５１）（５２）収容部形成突起
（３３Ａ）（３３Ｄ）（３４Ｃ）（３９）（５１Ａ）（５１Ｄ）（５２Ｄ）（５３）縁突起
（３０ａ）（３０ｂ）（３１ａ）（３１ｂ）開口部
（３５）（３６）（３７）間隙
（３８）収容部と連通する空間
（４０Ａ）（４０Ｂ）（５６）（４８）補強突起
（４１）（４３）（４６）アルミニウム層（金属層）
（４２）止めねじ挿通孔
（４４）厚さ調整板
（４７）天板
（Ｇ）床下地